(57)【要約】【課題】  レンズ構成の変化に伴う収差の変化を低減させられるレンズ装置を提供することである。【解決手段】  各実施例のレンズ装置は、複数のレンズを含む光学系Ｌ０を備える。光学系Ｌ０は、物体側から像側へ順に配置された、前レンズＬ１群、開口絞りＳｐ、後レンズ群Ｌ２から成る。レンズ装置は、前レンズ群Ｌ１のレンズ構成と、後レンズ群Ｌ２のレンズ構成を共に変化させることにより、第１の状態と第１の状態よりも焦点距離の短い第２の状態との間で撮影状態を変化させられる【選択図】  図１
2019174753.tif 000002
【特許請求の範囲】
【請求項１】
複数のレンズを有する光学系を含むレンズ装置であって、
前記光学系は、物体側から像側へ順に配置された、前レンズ群、開口絞り、後レンズ群から成り、
前記レンズ装置は、前記前レンズ群のレンズ構成と、前記後レンズ群のレンズ構成を共に変化させることにより、第１の状態と前記第１の状態よりも焦点距離の短い第２の状態との間で撮影状態を変化させられることを特徴とするレンズ装置。
【請求項２】
前記前レンズ群は、最も物体側に配置された負レンズと、前記負レンズよりも像側に配置されたレンズから成る中間群で構成されていることを特徴とする請求項１に記載のレンズ装置。
【請求項３】
前記第１の状態における前記中間群の焦点距離をｆａｍ、前記第２の状態における前記中間群の焦点距離をｆｂｍ、前記第１の状態における前記後レンズ群の焦点距離をｆａｒ、前記第２の状態における前記後レンズ群の焦点距離をｆｂｒとしたとき、
０．１＜（ｆａｍ／ｆａｒ）／（ｆｂｍ／ｆｂｒ）＜０．９
なる条件式を満足することを特徴とする請求項２に記載のレンズ装置。
【請求項４】
前記第１の撮影状態において、前記後レンズ群の最も像側のレンズは正レンズであることを特徴とする請求項１乃至３のいずれか一項に記載のレンズ装置。
【請求項５】
前記第２の撮影状態において、前記後レンズ群の最も像側のレンズは負レンズであることを特徴とする請求項４に記載のレンズ装置。
【請求項６】
前記第１の状態において前記後レンズ群の最も像側に位置する正レンズの焦点距離をｆａ、前記第２の状態において前記後レンズ群の最も像側に位置する負レンズの焦点距離をｆｂとしたとき、
−１．４０＜ｆａ／ｆｂ＜−０．３０
なる条件式を満足することを特徴とする請求項５に記載のレンズ装置。
【請求項７】
前記第１の状態において前記後レンズ群の最も像側に位置する正レンズのアッベをνａ、前記第２の状態において前記後レンズ群の最も像側に位置する負レンズのアッベ数をνｂとしたとき、
１．１０＜νａ／νｂ＜１．８０
なる条件式を満足することを特徴とする請求項５または６に記載のレンズ装置。
【請求項８】
前記後レンズ群の最も物体側のレンズは、前記第１の状態および前記第２の状態において共に正レンズであることを特徴とする請求項１乃至７のいずれか一項に記載のレンズ装置。
【請求項９】
前記第１の状態において前記後レンズ群の最も物体側に位置する正レンズの焦点距離をｆａｐ、前記第２の状態において前記後レンズ群の最も物体側に位置する正レンズの焦点距離をｆｂｐとしたとき、
１．２０＜ｆａｐ／ｆｂｐ＜２．５０
なる条件式を満足することを特徴とする請求項８に記載のレンズ装置。
【請求項１０】
前記第１の状態において前記後レンズ群の最も物体側に位置する正レンズのアッベ数をνａｐ、前記第２の状態において前記後レンズ群の最も物体側に位置する正レンズのアッベ数をνｂｐとしたとき、
１．１０＜νａｐ／νｂｐ＜１．６０
なる条件式を満足することを特徴とする請求項８または９に記載のレンズ装置。
【請求項１１】
前記第１の状態における最大像高をｙａ、前記第１の状態における最大半画角をθａ、前記第２の状態における最大像高をｙｂ、前記第２の状態における最大半画角をθｂとしたとき、
０．９０＜（ｙａ／θａ）／（ｙｂ／θｂ）＜１．６０
なる条件式を満足することを特徴とする請求項１乃至１０のいずれか一項に記載のレンズ装置。
【請求項１２】
前記第１の状態における最大像高をｙａ、前記第１の状態における最大半画角をθａ、前記第２の状態における最大像高をｙｂ、前記第２の状態における最大半画角をθｂとし、
前記第１の状態における半画角θ（０≦θ≦θａ）に対応する像高をｙａ（θ）、前記第２の状態における半画角θ（０≦θ≦θｂ）に対応する像高をｙｂ（θ）、Δｙ（θ）＝｜ｙａ（θ）／ｙａ−ｙｂ（θ）／ｙｂ｜で定義されるΔｙ（θ）のθに対する最大値をΔｙｍａｘとしたとき、
０．９０＜ｙａ／ｙｂ＜１．６０
０．９０＜θａ／θｂ＜１．１０
０．０４＜Δｙｍａｘ＜０．５０
なる条件式を満足することを特徴とする請求項１乃至１１のいずれか一項に記載のレンズ装置。
【請求項１３】
前記第１の状態と前記第２の状態との間での撮影状態の遷移に際して、前記前レンズ群に含まれる少なくとも１つのレンズは他のレンズと交換され、前記後レンズ群に含まれる少なくとも１つのレンズは他のレンズと交換されることを特徴とする請求項１乃至１２のいずれか一項に記載のレンズ装置。
【請求項１４】
前記第１の状態と前記第２の状態との間での撮影状態の遷移に際して、前記開口絞りは他の開口絞りと交換されることを特徴とする請求項１３に記載のレンズ装置。
【請求項１５】
請求項１乃至１４のいずれか一項に記載のレンズ装置と、前記レンズ装置の前記光学系によって形成された像を受光する撮像素子を有することを特徴とする撮像装置。
【発明の詳細な説明】
【技術分野】
【０００１】
本発明は、レンズ装置に関し、デジタルビデオカメラ、デジタルスチルカメラ、放送用カメラ、銀塩フィルム用カメラ、監視用カメラ等の撮像装置に好適なものである。
【背景技術】
【０００２】
光学系に含まれるレンズを光軸方向に移動させることによって、焦点距離を変化させたり、射影方式を変化させたり（特許文献１）できることが知られている。
【０００３】
焦点距離を変化させるための別の手段としては、光学系を構成する一部のレンズ群のレンズ構成を変更するものが知られている。
【０００４】
特許文献２には、望遠端において開口絞りの像側に配置されたレンズ群を別のレンズ群と交換することによって、焦点距離を更に伸ばすことが可能な光学系が開示されている。
【先行技術文献】
【特許文献】
【０００５】
【特許文献１】特開２００８−１９７５４１号公報
【特許文献２】特開２００９−１４９３１号公報
【発明の概要】
【発明が解決しようとする課題】
【０００６】
本発明の発明者らは、レンズ構成を変更するような機構は、単純なズームレンズとしての変倍機能のみならず、射影方式を異ならせるための機能に応用することが可能であることを見出した。
【０００７】
しかしながら、特許文献１に記載された光学系では、開口絞りの像側に配置されたレンズ群のレンズ構成のみを変更する構成であるため、レンズ構成の変化に伴うコマ収差や非点収差等の発生量の変化に対して、補正が不十分となってしまうという課題があった。
【０００８】
これは、レンズ構成を変化する機構を通常のズームレンズとしての変倍機能に用いる場合にも、射影方式を変化させる機能に用いる場合にも問題となる。
【０００９】
そこで本発明は、レンズ構成の変化に伴う諸収差の発生量の変化を良好に低減させられるレンズ装置を実現することを目的とする。
【課題を解決するための手段】
【００１０】
本発明のレンズ装置は、複数のレンズを有する光学系を含むレンズ装置であって、前記光学系は、物体側から像側へ順に配置された、前レンズ群、開口絞り、後レンズ群から成り、前記レンズ装置は、前記前レンズ群のレンズ構成と、前記後レンズ群のレンズ構成を共に変化させることにより、第１の状態と前記第１の状態よりも焦点距離の短い第２の状態との間で撮影状態を変化させられることを特徴とする。
【発明の効果】
【００１１】
本発明によれば、レンズ構成の変化に伴う収差の変化を低減させられるレンズ装置を提供することができる。
【図面の簡単な説明】
【００１２】
【図１】実施例１の光学系の断面図である。
【図２】実施例１の光学系の収差図である。
【図３】実施例２の光学系の断面図である。
【図４】実施例２の光学系の収差図である。
【図５】実施例３の光学系の断面図である。
【図６】実施例３の光学系の収差図である。
【図７】実施例４の光学系の断面図である。
【図８】実施例４の光学系の収差図である。
【図９】撮像装置の概略図である。
【発明を実施するための形態】
【００１３】
本発明のレンズ装置及びそれを有する撮像装置の実施例に関する説明に先立ち、本願明細書における用語の定義について述べる。
【００１４】
「最大像高」とは、光学系の有効像円径の半値（イメージサークルの半径）である。有効像円径は、光学系を通過した光線が像面において結像して形成した円形の領域のことを言う。
【００１５】
「最大半画角」とは、最大像高に到達する軸外主光線の画角（光線が光軸と成す角度）である。
【００１６】
「撮影状態」とは、光学系が撮影に使用され得る状態である。通常、１つのレンズ装置はレンズの位置やＦ値の異なる複数の撮影状態を取ることができるように構成される。なお、撮影に使用されることが想定されていない状態は撮影状態には含まれない。撮影に使用されることが想定されていない状態とは、例えば沈胴式レンズにおける沈胴状態である。また、光路に対して挿抜可能なコンバータレンズを内蔵したレンズ装置において、コンバータレンズの光線有効領域の一部のみが光路内に挿入されているような状態（半掛かり状態）も、撮影に使用されることが想定されていない状態に含まれる。
【００１７】
「レンズ構成」とは、あるレンズ群に含まれるレンズの形状、レンズの材質、レンズの枚数を含む複合的な構成を意味するものである。したがって、「レンズ構成を変化させる」ことは、あるレンズ群に含まれるレンズの形状、レンズの材質、レンズの枚数の少なくとも１つを変化させることを意味する。例えば、「レンズ構成を変化させる」ことは、あるレンズ群に含まれる少なくとも一部のレンズを取り去る（光路中から退避させる）ことや他のレンズと交換すること、あるレンズ群に他のレンズを追加する（光路中に挿入する）ことを含む。なお、あるレンズ群において、レンズの交換、追加、除去を一切行わず、レンズの光軸方向の移動のみを行う場合（単にレンズ間の間隔を変化させる場合）は、「レンズ構成は変化していない」ものとする。
【００１８】
次に、本発明のレンズ装置及びそれを有する撮像装置の実施例について、添付の図面に基づいて説明する。
【００１９】
以下に述べる各実施例のレンズ装置は、レンズ構成を変化させることによって射影方式を異ならせることのできる光学系を備える。ただし、本発明はこれに限定されるものではなく、レンズ構成を変化させることによって通常のズームレンズのように焦点距離を変化させて画角を変更するようにしても良い。
【００２０】
撮影光学系の射影方式を異ならせると、得られる像の見え方が変化することが知られている。例えば、正射影方式や等立体角射影方式を採用した場合、画面中心と比較して画面周辺における像倍率が低くなる。一方、立体射影方式を採用すると画面周辺と比較して画面中心の像倍率が低くなる。
【００２１】
特定の位置で像倍率が低くなると、その位置における解像度は他の位置と比較して低下する。このため、単一のレンズ装置内で射影方式を異ならせることができれば広画角を維持しつつ撮影目的や状況に応じて画面上の注目する被写体に対して十分な解像度を得ることができる。
【００２２】
図１，３，５，７は、各実施例におけるレンズ装置の光学系の断面図である。各実施例における光学系Ｌ０は、物体側から像側に順に配置された前レンズ群Ｌ１、開口絞りＳＰ、後レンズ群Ｌ２を有する。
【００２３】
前レンズ群Ｌ１は、最も物体側に配置された負レンズＧｎを有する。前レンズ群Ｌ１における負レンズＧｎを除くレンズからなる部分レンズ群を、中間群Ｌ１ｍと称する。
【００２４】
各レンズ断面図において、ＩＰは像面である。また、各実施例のレンズ装置は光学系Ｌ０の他、光学系を保持する鏡筒（不図示）を有している。各実施例のレンズ装置における鏡筒は、光学系Ｌ０のレンズ構成を変更する機構を有する。すなわち、各実施例における鏡筒は、レンズを光路中から退避させるためのスペースと、レンズを光路中に挿抜するための挿抜手段を備える。
【００２５】
各実施例のレンズ装置は、光学系Ｌ０における前レンズ群Ｌ１と、後レンズ群Ｌ２のレンズ構成を変化させることによって、互いに焦点距離の異なる撮影状態Ａ（第１の状態に相当する）と撮影状態Ｂ（第２の状態に相当する）の間で撮影状態を変化させられる。各実施例のレンズ装置において、撮影状態Ａの焦点距離は撮影状態Ｂの焦点距離よりも長い。
【００２６】
各レンズ断面図において、（ａ）は撮影状態Ａにおけるレンズ断面図、（ｂ）は撮影状態Ｂにおけるレンズ断面図である。実施例１のレンズ装置では、撮影状態Ａにおける部分レンズ群ＣＨａを、部分レンズ群ＣＨｂに交換することで撮影状態Ｂに遷移する。実施例２，３，４におけるレンズ装置では、撮影状態Ａにおける部分レンズ群ＣＨ１ａを部分レンズ群ＣＨ１ｂに、部分レンズ群ＣＨ２ａを部分レンズ群ＣＨ２ｂに交換することによって撮影状態Ｂに遷移する。
【００２７】
なお、各実施例ではレンズを交換することによって撮影状態を遷移させる例を示しているが、本発明はこれに限られない。レンズの追加、除去のみで撮影状態を遷移させても良い。また、レンズ構成を変化させて撮影状態を遷移させる際に、一部のレンズを光軸方向に移動させたり、像面ＩＰを光軸方向に移動させたりしても良い。
【００２８】
次に、各実施例において、撮影状態の遷移に伴って前レンズ群Ｌ１のレンズ構成と後レンズ群Ｌ２のレンズ構成を共に変化させることの意義について述べる。
【００２９】
軸外光束は、開口絞りＳＰの前後で、上線と下線の位置関係が変化する。例えば、図１において紙面下側から入射する軸外光束を例に考える。この場合、前レンズ群Ｌ１においては上線よりも下線の方がより光軸から離れた位置を通るが、後レンズ群Ｌ２において上線は下線よりも光軸から離れた位置を通る。ゆえに、前レンズ群Ｌ１と後レンズ群Ｌ２のどちらか一方のみのレンズ構成のみを変化させると、軸外光束の上線側のコマ収差や非点収差と下線側のコマ収差や非点収差の両方に対して良好に補正することが困難となる。
【００３０】
これに対して、前レンズ群Ｌ１と後レンズ群Ｌ２の両方のレンズ構成を変化させることで、各レンズ群で上線側の補正と下線側の補正を適切に行うことが可能となる。これによって、上線側のコマ収差や非点収差と下線側のコマ収差や非点収差を良好に補正することができ、結果としてレンズ構成の変化に伴う収差量の変化を低減させられる。
【００３１】
次に、光学系Ｌ０における好ましい構成について述べる。
【００３２】
各実施例の光学系Ｌ０のように、前レンズ群Ｌ１は最も物体側に負レンズＧｎを有することが好ましい。これによって、入射瞳を物体側に位置させることができ、光学系を過度に大型化させずに広画角化することが可能となる。
【００３３】
また、各実施例のレンズ装置は以下の条件式（１）を満足することが好ましい。
０．１０＜（ｆａｍ／ｆａｒ）／（ｆｂｍ／ｆｂｒ）＜０．９０  （１）
【００３４】
ここで、ｆａｍは撮像状態Ａにおける中間群Ｌ１ｍの焦点距離である。ｆｂｍは撮影状態Ｂにおける中間群Ｌ１ｍの焦点距離である。ｆａｒは撮影状態Ａにおける後レンズ群Ｌ２の焦点距離である。ｆｂｒは撮影状態Ｂにおける後レンズ群Ｌ２の焦点距離である。
【００３５】
条件式（１）は、撮影状態Ａおよび撮影状態Ｂにおける中間群Ｌ１ｍと後レンズ群Ｌ２の焦点距離に関する。
【００３６】
条件式（１）の下限値を下回ると、撮影状態Ａにおいて後レンズ群Ｌ２に対する中間群Ｌ１ｍの焦点距離が短くなりすぎる。その結果、歪曲収差や非点収差やコマ収差を良好に補正することが困難となる。または、撮影状態Ｂにおいて中間群Ｌ１ｍに対する後レンズ群Ｌ２の焦点距離が短くなりすぎる。その結果、球面収差やコマ収差を良好に補正することが困難となる。
【００３７】
条件式（１）の上限値を超えると、撮影状態Ｂにおいて後レンズ群Ｌ２に対する中間群Ｌ１ｍの焦点距離が短くなりすぎる。その結果、歪曲収差や非点収差やコマ収差を良好に補正することが困難となる。または、撮影状態Ａにおいて中間群Ｌ１ｍに対する後レンズ群Ｌ２の焦点距離が短くなりすぎる。その結果、球面収差やコマ収差を良好に補正することが困難となる。
【００３８】
なお、条件式（１）の数値範囲は、以下の条件式（１ａ）のように設定することがより好ましく、以下の条件式（１ｂ）のように設定することがさらに好ましい。
０．１２＜（ｆａｍ／ｆａｒ）／（ｆｂｍ／ｆｂｒ）＜０．８５  （１ａ）
０．１４＜（ｆａｍ／ｆａｒ）／（ｆｂｍ／ｆｂｒ）＜０．８０  （１ｂ）
【００３９】
また、光学系Ｌ０は、撮影状態Ａにおいて、後レンズ群Ｌ２の最も像側の位置に正レンズＧｐ２を有することが好ましい。
【００４０】
前述のように各実施例のレンズ装置では、撮影状態Ａと撮影状態Ｂでは射影方式が異なるため、画面周辺の像倍率は撮影状態Ａと撮影状態Ｂとで異なる。例えば、撮影状態Ａにおいて等立体角射影、撮影状態Ｂにおいて立体射影である場合、等立体角射影は立体射影に対して、画面周辺の像倍率が小さくなる。これは、立体射影を基準とした場合に等立体角射影はアンダー側（画面中心側）に歪曲収差を発生させた構成であるということができる。
【００４１】
したがって、撮影状態Ａにおいて軸外光束の高さが高くなる後レンズ群Ｌ２の最も像側の位置に正レンズＧｐ２を配置することで、撮影状態Ｂにおける射影方式を基準としてアンダー側に効果的に歪曲収差を生じさせる構成とすることができる。これによって、撮影状態Ａと撮影状態Ｂの間で効果的に射影方式を変化させることができる。
【００４２】
なお、撮影状態Ｂにおける後レンズ群Ｌ２の最も像側の位置に配置されるレンズの屈折力の符号は特に限定されないが、好ましくは負レンズＧｎ２を配置すると良い。これによって、撮影状態Ａと撮影状態Ｂとの間で、最終レンズによって生じる歪曲収差をより大きく変化させることができ、より効果的に射影方式を変化させることができる。
【００４３】
また、各実施例のレンズ装置は以下の条件式（２）を満足することが好ましい。
−１．４０＜ｆａ／ｆｂ＜−０．３０  （２）
【００４４】
ここで、ｆａは撮影状態Ａにおいて後レンズ群Ｌ２の最も像側に位置する正レンズＧｐ２の焦点距離である、ｆｂは撮影状態Ｂにおいて後レンズ群Ｌ２の最も像側に位置する負レンズＧｎ２の焦点距離である。
【００４５】
条件式（２）は撮影状態Ａにおける正レンズＧｐ２と、撮影状態Ｂにおける負レンズＧｎ２の焦点距離の比に関する。
【００４６】
条件式（２）の下限値を下回ると、撮影状態Ｂにおける負レンズＧｎ２の焦点距離の絶対値が小さくなりすぎ、撮影状態Ｂにおいて非点収差やコマ収差を良好に補正することが困難となる。
【００４７】
条件式（２）の上限値を上回ると、撮影状態Ｂにおける負レンズＧｎ２の焦点距離の絶対値が大きくなりすぎる。その結果、撮影状態Ａに対して、歪曲収差をオーバー側に発生させることが困難となり、撮影状態Ｂにおいて画面周辺の像倍率を十分に拡大することが困難となる。
【００４８】
なお、条件式（２）の数値範囲は、以下の条件式（２ａ）のように設定することがより好ましく、以下の条件式（２ｂ）のように設定することがさらに好ましい。
−１．３０＜ｆａ／ｆｂ＜−０．４０  （２ａ）
−１．２５＜ｆａ／ｆｂ＜−０．４５  （２ｂ）
【００４９】
また、各実施例のレンズ装置は以下の条件式（３）を満足することが好ましい。
１．１０＜νａ／νｂ＜１．８０  （３）
【００５０】
ここで、νａは撮影状態Ａにおいて後レンズ群Ｌ２の最も像側に位置する正レンズＧｐ２のアッベ数である。νｂは、撮影状態Ｂにおいて最も像側に位置する負レンズＧｎ２のアッベ数である。なお、アッベ数νｄは、フラウンホーファー線のＦ線（波長４８６．１ｎｍ）、ｄ線、Ｃ線（６５６．３ｎｍ）に対する屈折率を各々ＮＦ、Ｎｄ、ＮＣとしたとき以下の式（Ａ）で定義される値である。
νｄ＝（Ｎｄ−１）／（ＮＦ−ＮＣ）  （Ａ）
【００５１】
条件式（３）は撮影状態Ａにおける正レンズＧｐ２のアッベ数と撮影状態Ｂにおける負レンズＧｎ２のアッベ数の比に関する。
【００５２】
条件式（３）の下限値を下回ると、撮影状態Ｂにおける負レンズＧｎ２のアッベ数が大きくなりすぎて、倍率色収差がｄ線に対してＦ線がアンダーとなってしまう。結果として撮影状態ＡとＢにおいて共に倍率色収差を良好に補正することが困難となる。
【００５３】
条件式（３）の上限値を上回ると、撮影状態Ｂにおける負レンズＧｎ２のアッベ数が小さくなりすぎて、倍率色収差がｄ線に対してＦ線がオーバーとなってしまう。結果として撮影状態ＡとＢにおいて共に倍率色収差を良好に補正することが困難となる。
【００５４】
なお、条件式（３）の数値範囲は、以下の条件式（３ａ）のように設定することがより好ましく、以下の条件式（３ｂ）のように設定することがさらに好ましい。
１．２０＜νａ／νｂ＜１．７０  （３ａ）
１．３０＜νａ／νｂ＜１．６０  （３ｂ）
【００５５】
また、各実施例のレンズ装置において、後レンズ群Ｌ２の最も物体側のレンズは、撮影状態Ａでも撮影状態Ｂでも正レンズであることが好ましい。正レンズによる光の収斂効果により、後レンズ群Ｌ２に含まれるレンズの径を小さくすることができるためである。
【００５６】
さらに、各実施例のレンズ装置は以下の条件式（４）を満足することが好ましい。
１．２０＜ｆａｐ／ｆｂｐ＜２．５０  （４）
【００５７】
ここで、ｆａｐは撮影状態Ａにおける後レンズ群Ｌ２の最も物体側に配置された正レンズＧｐ１ａの焦点距離である。また、ｆｂｐは撮影状態Ｂにおける後レンズ群Ｌ２の最も物体側に配置された正レンズＧｐ１ｂの焦点距離である。
【００５８】
条件式（４）は、撮影状態Ａにおける後レンズ群Ｌ２の正レンズＧｐ１ａの焦点距離と、撮影状態Ｂにおける後レンズ群Ｌ２の正レンズＧｐ１ｂの焦点距離の比に関する。
【００５９】
条件式（４）の下限値を下回ると、撮影状態Ｂにおける正レンズＧｐ１ｂの焦点距離が長くなりすぎ、撮影状態Ｂにおける正パワーが弱まる結果、撮影状態Ｂにおける光学系Ｌ０の焦点距離が長くなってしまう。物体と像の射影関係として、像の大きさは焦点距離に比例する。したがって、撮影状態Ｂにおいて光学系Ｌ０の焦点距離が長くなると、撮影状態Ａと同じ画角に対する像高が大きくなり、撮像素子が大型化してしまう。
【００６０】
条件式（４）の上限値を超えると、撮影状態Ｂにおける正レンズＧｐ１ｂの焦点距離が短くなりすぎ、球面収差を十分に補正することが困難となる。
【００６１】
なお、条件式（４）の数値範囲は、以下の条件式（４ａ）のように設定することがより好ましく、以下の条件式（４ｂ）のように設定することがさらに好ましい。
１．２５＜ｆａｐ／ｆｂｐ＜２．４０  （４ａ）
１．３０＜ｆａｐ／ｆｂｐ＜２．３０  （４ｂ）
【００６２】
さらに、各実施例のレンズ装置は以下の条件式（５）を満足することが好ましい。
１．１０＜νａｐ／νｂｐ＜１．６０  （５）
【００６３】
ここで、νａｐ撮影状態Ａにおける後レンズ群Ｌ２の最も物体側に位置する正レンズＧｐ１ａのアッベ数である。νｂｐは撮影状態Ｂにおける後レンズ群Ｌ２の最も物体側に位置する正レンズＧｐ１ｂのアッベ数である。
【００６４】
条件式（５）は、撮影状態Ａにおける正レンズＧｐ１ａのアッベ数と撮影状態Ｂにおける正レンズＧｐ１ｂのアッベ数の比に関する。
【００６５】
条件式（５）の下限値を下回ると、撮影状態Ｂにおける正レンズＧｐ１ｂのアッベ数が大きくなりすぎる。その結果、撮影状態ＢにおいてＦ線がｄ線に対して像側（縦収差においてオーバー方向）で結像することになってしまう。このため、撮影状態Ａと撮影状態Ｂで共に軸上色収差を良好に補正することが困難となってしまう。
【００６６】
条件式（５）の上限値を超えると、撮影状態Ｂにおける正レンズＧｐ１ｂのアッベ数が小さくなりすぎる。その結果、Ｆ線がｄ線に対して物体側（縦収差においてアンダー方向）で結像することになってしまう。このため、撮影状態Ａと撮影状態Ｂで共に軸上色収差を良好に補正することが困難となってしまう。
【００６７】
なお、条件式（５）の数値範囲は、以下の条件式（５ａ）のように設定することがより好ましく、以下の条件式（５ｂ）のように設定することがさらに好ましい。
１．１２＜νａｐ／νｂｐ＜１．５５  （５ａ）
１．１５＜νａｐ／νｂｐ＜１．５０  （５ｂ）
【００６８】
さらに、各実施例のレンズ装置は以下の条件式（６）を満足することが好ましい。
０．９０＜（ｙａ／θａ）／（ｙｂ／θｂ）＜１．６０  （６）
【００６９】
ここで、ｙａは撮影状態Ａにおける最大像高である。θａは撮影状態Ａにおける最大半画角である。ｙｂは撮影状態Ｂにおける最大像高である。θｂは撮影状態Ｂにおける最大半画角である。
【００７０】
条件式（６）は、撮影状態Ａおよび撮影状態Ｂにおける最大像高と最大半画角の比に関する。条件式（６）は、撮影状態Ａと撮影状態Ｂとの間で最大像高および最大半画角が大きく変化しないことを表している。これによって撮影状態Ａと撮影状態Ｂの一方で撮像素子の画素が無駄になってしまうことを抑制できる。
【００７１】
条件式（６）の下限値を下回ると、撮影状態Ａにおいて最大像高が小さくなりすぎ、撮影状態Ａにおいて撮像素子の画素が無駄になってしまう。または、撮像状態Ｂにおいて、最大半画角が小さくなりすぎ、光学系Ｌ０を十分に広角化することが困難となる。
【００７２】
条件式（６）の上限値を超えると、撮影状態Ｂにおいて、最大像高が小さくなりすぎ、撮影状態Ｂにおいて撮像素子の画素を無駄にしてしまう。または、撮像状態Ａにおいて、最大半画角が小さくなりすぎ、光学系Ｌ０を十分に広角化することが困難となる。
【００７３】
なお、条件式（６）の数値範囲は、以下の条件式（６ａ）のように設定することがより好ましく、以下の条件式（６ｂ）のように設定することがさらに好ましい。
０．９５＜（ｙａ／θａ）／（ｙｂ／θｂ）＜１．５０  （６ａ）
１．００＜（ｙａ／θａ）／（ｙｂ／θｂ）＜１．４５  （６ｂ）
【００７４】
さらに、各実施例のレンズ装置は、以下の条件式（７）乃至（９）を満足することが好ましい。
０．９０＜ｙａ／ｙｂ＜１．６０  （７）
０．９０＜θａ／θｂ＜１．１０  （８）
０．０４＜Δｙｍａｘ＜０．５０  （９）
【００７５】
ここで、Δｙｍａｘは、以下の式（Ｂ）で定義される値である。式（Ｂ）において、撮影状態Ａにおける半画角θ（０≦θ≦θａ）に対応する像高をｙａ（θ）、撮影状態Ｂにおける半画角θ（０≦θ≦θｂ）に対応する像高をｙｂ（θ）としたとき、Δｙ（θ）を次の式（Ｂ）で定義する。このとき、Δｙ（θ）のθに対する最大値をΔｙｍａｘとしている。
Δｙ（θ）＝｜ｙａ（θ）／ｙａ−ｙｂ（θ）／ｙｂ｜  （Ｂ）
【００７６】
条件式（７）乃至（９）を同時に満足することで、撮影状態Ａと撮影状態Ｂとの間で最大半画角、最大像高を大きく変化させずに、射影方式のみを大きく変化させることができる。
【００７７】
条件式（７）及び（８）は、撮影状態Ａの最大像高及び最大半画角が撮影状態Ｂの最大像高及び最大半画角と略等しいことを表している。これらの数値範囲の上限値または下限値を超える場合、撮影状態Ａと撮影状態Ｂの間で撮影状態を遷移させた場合に、画面周辺の被写体が欠けたり、撮像素子の画素が無駄になったりするため好ましくない。
【００７８】
なお、条件式（７）及び（８）の数値範囲は、以下の条件式（７ａ）及び（８ａ）のように設定することが好ましい。
０．９５＜ｙａ／ｙｂ＜１．５０  （７ａ）
０．９５＜θａ／θｂ＜１．０５  （８ａ）
【００７９】
条件式（９）は、撮影状態Ａと撮影状態Ｂの間の撮影状態の変化に伴う射影方式の変化の大きさに関する。式（Ｂ）におけるΔｙ（θ）は、レンズ装置の撮影状態を撮影状態Ａから撮影状態Ｂに変化させた際の、半画角θに対応する像高の変化量を表している。すなわち、Δｙ（θ）のθに対する最大値Δｙｍａｘが大きいことは、撮影状態Ａから撮影状態Ｂへの撮影状態の遷移に伴い、画面の一部の領域における像倍率が大きく変化していることを意味する。よって、Δｙｍａｘが大きい場合、撮影状態Ａと撮影状態Ｂで射影方式が大きく変化していることになる。
【００８０】
Δｙｍａｘの値が条件式（９）の下限値を下回る場合、画面中心と画面周辺の像倍率を十分に変化させることが困難となるため好ましくない。Δｙｍａｘの値が条件式（９）の上限値を上回る場合、画面中心と画面周辺の像倍率を大きく変化させることが可能となるが、光学系Ｌ０の収差を良好に補正することが困難となるため好ましくない。
【００８１】
なお、条件式（３）の数値範囲は、以下の条件式（３ａ）のように設定することが好ましい。
０．０５＜Δｙｍａｘ＜０．３５  （３ａ）
【００８２】
また、撮影状態Ａと撮影状態Ｂの間で、レンズ構成を変化させるに当たり、前レンズ群Ｌ１と後レンズ群Ｌ２のレンズと一体的に開口絞りＳＰも交換することが好ましい。これによって、撮影状態Ａと撮影状態Ｂの間でレンズ構成を変化させる際に移動させるべき光学部材をひとまとまりに移動させることが可能となる。このため、撮影状態Ａと撮影状態Ｂの間でレンズ構成を変化するために用いられる可動部材の構成を簡略化することが可能となる。
【００８３】
次に、各実施例の光学系Ｌ０の構成について述べる。
【００８４】
［実施例１］
実施例１のレンズ装置における光学系Ｌ０は、図１に示すとおりである。本実施例の光学系Ｌ０では、撮影状態Ａおよび撮影状態Ｂにおいて、最も物体側から負レンズ４つ連続して配置している。前レンズ群Ｌ１をこのように構成することにより、負の屈折力を複数のレンズで分担することができ、歪曲収差や非点収差の発生を抑えることができる。
【００８５】
前述したとおり、実施例１のレンズ装置では撮影状態Ａにおける部分レンズ群ＣＨａを、部分レンズ群ＣＨｂに交換することで撮影状態Ｂに遷移する。部分レンズ群ＣＨａおよび部分レンズ群ＣＨｂには、開口絞りＳＰも含まれる。すなわち、本実施例において撮影状態Ａと撮影状態Ｂの間でのレンズ構成の変化に際して、開口絞りＳＰも交換される。
【００８６】
本実施例において、撮影状態Ａにおける射影方式は等立体角射影、撮影状態Ｂにおける射影方式は立体射影である。
【００８７】
図２に本実施例のレンズ装置における収差図を示す。図２（ａ）は撮影状態Ａにおける縦収差図、図２（ｂ）は撮影状態Ａにおける縦収差図である。
【００８８】
収差図においてＦｎｏはＦナンバー、ωは半画角（度）であり、近軸計算による画角である。球面収差図において、ｄはｄ線（波長５８７．５６ｎｍ）、ｇはｇ線（波長４３５．８３５ｎｍ）について示している。
【００８９】
非点収差図においてΔＳはサジタル像面におけるｄ線、ΔＭはメリディオナル像面におけるｄ線について示している。歪曲収差はｄ線について示している。なお、撮影状態Ａにおける歪曲収差は等立体角射影を基準とし、撮影状態Ｂにおける歪曲収差は立体射影を基準としている。
【００９０】
また、色収差図においてｇはｄ線に対するｇ線の色収差量について示している。
【００９１】
［実施例２］
実施例２のレンズ装置における光学系Ｌ０は、図３に示すとおりである。
【００９２】
前述したとおり、実施例２のレンズ装置では撮影状態Ａにおける部分レンズ群ＣＨ１ａを部分レンズ群ＣＨ１ｂに、部分レンズ群ＣＨ２ａを部分レンズ群ＣＨ２ｂに交換することによって撮影状態Ｂに遷移する。
【００９３】
部分レンズ群ＣＨ１ａと部分レンズ群ＣＨ１ｂには開口絞りＳＰは含まれていない。
【００９４】
なお、本実施例において、部分レンズ群ＣＨ１ａ、部分レンズ群ＣＨ１ｂは共に最も像側に正レンズと負レンズを接合した接合レンズを有する。これによって、撮影状態Ａおよび撮影状態Ｂにおいて、共に球面収差を良好に補正している。
【００９５】
本実施例においても、撮影状態Ａにおける射影方式は等立体角射影、撮影状態Ｂにおける射影方式は立体射影である。
【００９６】
図４に本実施例のレンズ装置における収差図を示す。図４（ａ）は撮影状態Ａにおける縦収差図、図４（ｂ）は撮影状態Ａにおける縦収差図である。なお、撮影状態Ａにおける歪曲収差は等立体角射影を基準とし、撮影状態Ｂにおける歪曲収差は立体射影を基準としている。
【００９７】
［実施例３］
実施例３のレンズ装置における光学系Ｌ０は、図５に示すとおりである。
【００９８】
前述したとおり、実施例３のレンズ装置では撮影状態Ａにおける部分レンズ群ＣＨ１ａを部分レンズ群ＣＨ１ｂに、部分レンズ群ＣＨ２ａを部分レンズ群ＣＨ２ｂに交換することによって撮影状態Ｂに遷移する。
【００９９】
部分レンズ群ＣＨ１ａを部分レンズ群ＣＨ１ｂには開口絞りＳＰは含まれていない。
【０１００】
本実施例では、部分レンズ群ＣＨ１ａ、部分レンズ群ＣＨ１ｂを共に負レンズ１枚で構成している。これによって、撮影状態の遷移に伴って交換する部分レンズ群を小型化している。
【０１０１】
本実施例においても、撮影状態Ａにおける射影方式は等立体角射影、撮影状態Ｂにおける射影方式は立体射影である。
【０１０２】
図６に本実施例のレンズ装置における収差図を示す。図６（ａ）は撮影状態Ａにおける縦収差図、図６（ｂ）は撮影状態Ａにおける縦収差図である。なお、撮影状態Ａにおける歪曲収差は等立体角射影を基準とし、撮影状態Ｂにおける歪曲収差は立体射影を基準としている。
【０１０３】
［実施例４］
実施例４のレンズ装置における光学系Ｌ０は、図７に示すとおりである。
【０１０４】
前述したとおり、実施例４のレンズ装置では撮影状態Ａにおける部分レンズ群ＣＨ１ａを部分レンズ群ＣＨ１ｂに、部分レンズ群ＣＨ２ａを部分レンズ群ＣＨ２ｂに交換することによって撮影状態Ｂに遷移する。
【０１０５】
部分レンズ群ＣＨ１ａを部分レンズ群ＣＨ１ｂには開口絞りＳＰは含まれていない。
【０１０６】
本実施例では、部分レンズ群ＣＨ１ａ、部分レンズ群ＣＨ１ｂを共に正レンズ１枚で構成している。また、部分レンズ群ＣＨ２ａ、部分レンズ群ＣＨ２ｂを共に正レンズ１枚で構成している。これによって、撮影状態の遷移に伴って交換する部分レンズ群をより小型化している。
【０１０７】
本実施例においても、撮影状態Ａにおける射影方式は等立体角射影、撮影状態Ｂにおける射影方式は等角射影である。
【０１０８】
図８に本実施例のレンズ装置における収差図を示す。図８（ａ）は撮影状態Ａにおける縦収差図、図８（ｂ）は撮影状態Ａにおける縦収差図である。なお、撮影状態Ａにおける歪曲収差は等立体角射影を基準とし、撮影状態Ｂにおける歪曲収差は等角射影を基準としている。
【０１０９】
次に、各実施例の光学系に対応する数値実施例１乃至４について述べる。各数値実施例において、面番号は物体側から数えた際の光学面の順序である。ｒｉは物体側から数えて第ｉ番目（ｉは自然数）の光学面（第ｉ面）の曲率半径、ｄｉは第ｉ面と第ｉ＋１面との間の間隔である。ｎｄｉ、νｄｉは、それぞれ第ｉ番目のレンズのｄ線に対する屈折率、アッベ数である。
【０１１０】
また、各数値実施例において、非球面形状のレンズ面については、面番号の後に＊（アスタリスク）の符号を付加している。また、各非球面係数における「ｅ±Ｐ」は「×１０±Ｐ」を意味している。光学面の非球面形状は、光軸方向における面頂点からの変位量をｘ、光軸方向に垂直な方向における光軸からの高さをｈ、近軸曲率半径をＲ、円錐定数をｋ、非球面係数をＡ４，Ａ６、Ａ８、Ａ１０とするとき、以下の式（Ｃ）により表される。
ｘ＝（ｈ２／Ｒ）／［１＋｛１−（１＋ｋ）（ｈ／Ｒ）２｝１／２］＋Ａ４×ｈ４＋Ａ６×ｈ６＋Ａ８×ｈ８＋Ａ１０×ｈ１０  （Ｃ）
【０１１１】
［数値実施例１−撮影状態Ａ］
単位 mm
面データ
面番号       r        d      nd        νd       有効径
1        108.154    2.00   1.48749    70.2       79.68
2         36.072    7.29                         54.90
3         63.963    1.50   1.49700    81.5       53.14
4         19.744    8.50                         35.79
5         54.270    1.50   1.43875    94.7       34.30
6         14.512   13.88                         26.09
7        -21.841    1.50   1.43875    94.7       24.65
8         40.449    2.88                         24.55
9*        52.463    7.89   1.64000    60.1       24.79
10        -26.081   18.63                         24.96
11(絞り)    ∞       0.50                          9.93
12*        13.972    2.97   1.43875    94.7       10.02
13        -30.027    3.46                         10.26
14        -24.508    1.60   1.65412    39.7       11.29
15         15.946    3.51   1.49700    81.5       12.64
16        -37.736    0.10                         13.49
17         25.305    2.00   1.43875    94.7       14.59
18*      -204.264   20.28                         14.83
像面        ∞
非球面データ
第9面
K =-2.03187e+000  A 4=-1.43363e-005  A 6= 7.80506e-009  A 8=-2.60860e-011  A10= 5.01447e-014
第12面
K = 0.00000e+000  A 4=-7.37777e-006  A 6=-1.10523e-008  A 8=-1.34832e-009
第18面
K = 0.00000e+000  A 4= 8.33024e-005  A 6= 4.13013e-007  A 8=-2.64867e-009  A10= 3.57438e-011
各種データ
焦点距離       8.49
Fナンバー      2.88
半画角(°)     90.00
像高          12.00
レンズ全長   100.00
BF            20.28
入射瞳位置    24.30
射出瞳位置   -12.85
前側主点位置  30.61
後側主点位置  11.80
単レンズデータ
レンズ  始面  焦点距離
1       1   -112.04
2       3    -58.12
3       5    -45.68
4       7    -32.09
5       9     28.33
6      12     22.19
7      14    -14.54
8      15     23.05
9      17     51.45
【０１１２】
［数値実施例１−撮影状態Ｂ］
単位 mm
面データ
面番号       r        d      nd        νd       有効径
1        108.154    2.00   1.48749    70.2       79.68
2         36.072    7.29                         54.90
3         63.963    1.50   1.49700    81.5       53.14
4         19.744    8.50                         35.79
5         54.270    1.50   1.43875    94.7       34.30
6         14.512   13.88                         26.09
7        -21.841    1.50   1.43875    94.7       24.65
8         40.449    2.14                         24.55
9*       294.422    4.61   1.72916    54.7       22.15
10        -20.954   14.46                         22.25
11(絞り)    ∞       0.50                          6.41
12*        11.611    2.27   1.49700    81.5        6.45
13        -17.735    3.19                          6.18
14        -14.808    1.60   1.76180    27.1        7.72
15         56.421    4.41   1.48748    70.5        9.07
16         -7.589    0.20                         11.54
17        -11.978    2.00   1.64050    60.1       11.64
18*       -15.338   11.29                         11.76
像面        ∞
非球面データ
第9面
K = 5.75511e+002  A 4=-9.32487e-006  A 6=-1.51917e-007  A 8= 1.14004e-009  A10=-4.04300e-012
第12面
K = 0.00000e+000  A 4=-1.57651e-004  A 6= 3.89455e-006  A 8=-4.15341e-007  A10= 9.54154e-009
第18面
K = 0.00000e+000  A 4= 3.72200e-004  A 6= 1.47685e-007  A 8= 8.61886e-008  A10= 1.82764e-010
各種データ
焦点距離       6.00
Fナンバー      2.89
半画角(°)     90.00
像高           11.65
レンズ全長    82.83
BF            11.29
入射瞳位置    23.77
射出瞳位置   -17.03
前側主点位置  28.50
後側主点位置   5.29
単レンズデータ
レンズ  始面  焦点距離
1       1   -112.04
2       3    -58.12
3       5    -45.68
4       7    -32.09
5       9     26.99
6      12     14.49
7      14    -15.25
8      15     14.04
9      17   -111.20
【０１１３】
［数値実施例２−撮影状態Ａ］
単位 mm
面データ
面番号       r        d      nd        νd       有効径
1        137.059    2.00   1.48749    70.2       81.68
2         32.735    7.29                         52.25
3         52.041    1.50   1.49700    81.5       49.83
4         20.060    8.50                         35.56
5         38.943    1.50   1.43875    94.7       32.90
6         13.495   15.00                         24.30
7        -18.622    1.50   1.43387    95.1       20.17
8         23.372    3.00                         19.39
9*        35.120    6.97   1.55880    62.5       19.89
10        -23.514   10.63                         19.81
11         20.512    2.78   1.43875    94.7       11.32
12        -22.998    1.60   1.58267    46.4       10.48
13        -45.152    2.72                          9.98
14(絞り)    ∞       2.17                          6.15
15*        14.432    2.49   1.43387    95.1        8.80
16        -31.823    1.72                          8.29
17        -32.228    1.60   1.68250    44.7        7.83
18         10.190    2.54   1.43387    95.1        8.84
19       -242.372    1.70                          9.77
20         14.163    1.47   1.43387    95.1       12.85
21*        24.148   15.00                         13.08
像面        ∞
非球面データ
第9面
K =-2.03187e+000  A 4=-1.36409e-005  A 6= 2.55310e-008  A 8=-1.97889e-011  A10= 1.82903e-013
第15面
K = 0.00000e+000  A 4= 4.57817e-007  A 6=-1.39896e-007  A 8=-2.24854e-009  A10= 8.30224e-012
第21面
K = 0.00000e+000  A 4= 1.34052e-004  A 6=-2.04826e-007  A 8= 1.50427e-010  A10= 9.20446e-012
各種データ
焦点距離       8.20
Fナンバー      4.33
半画角(°)     90.00
像高           11.43
レンズ全長    93.69
BF            15.00
入射瞳位置    23.48
射出瞳位置   -10.86
前側主点位置  29.08
後側主点位置   6.80
単レンズデータ
レンズ  始面  焦点距離
1       1    -88.78
2       3    -66.72
3       5    -47.93
4       7    -23.63
5       9     26.33
6      11     25.20
7      12    -82.64
8      15     23.26
9      17    -11.17
10      18     22.61
11      20     75.59
【０１１４】
［数値実施例２−撮影状態Ｂ］
単位 mm
面データ
面番号       r        d      nd        νd       有効径
1        137.059    2.00   1.48749    70.2       81.55
2         32.735    7.29                         52.17
3         52.041    1.50   1.49700    81.5       49.69
4         20.060    8.50                         35.48
5         38.943    1.50   1.43875    94.7       32.74
6         13.495   15.00                         24.20
7        -18.622    1.50   1.43387    95.1       19.78
8         23.372    3.00                         18.90
9*        70.317    6.84   1.53113    62.1       19.30
10        -21.951    8.47                         18.94
11         12.431    3.68   1.51454    54.7        9.92
12        -12.410    1.60   1.63930    45.2        8.37
13         50.716    4.12                          6.76
14(絞り)    ∞       0.89                          6.15
15*         9.230    2.31   1.49700    81.6        6.06
16       -115.528    1.62                          5.61
17        -26.142    1.60   1.60717    40.4        5.05
18          6.816    3.17   1.49700    81.6        6.32
19        -11.543    0.20                          7.47
20         16.980    1.57   1.60310    65.4        8.33
21*        11.289   10.00                          8.70
像面        ∞
非球面データ
第9面
K =-2.03187e+000  A 4= 4.84113e-005  A 6= 1.19746e-007  A 8=-1.07295e-009  A10= 1.82034e-012
第15面
K = 0.00000e+000  A 4=-1.46131e-004  A 6= 6.57693e-006  A 8=-9.64474e-007  A10= 3.86426e-008
第21面
K = 0.00000e+000  A 4= 4.88290e-004  A 6=-1.41473e-006  A 8= 3.38598e-007  A10=-6.43184e-009
各種データ
焦点距離       5.36
Fナンバー      2.88
半画角(°)     90.00
像高          10.13
レンズ全長    86.36
BF            10.00
入射瞳位置    23.36
射出瞳位置    -8.28
前側主点位置  27.15
後側主点位置   4.64
単レンズデータ
レンズ  始面  焦点距離
1       1    -88.78
2       3    -66.72
3       5    -47.93
4       7    -23.63
5       9     32.33
6      11     12.71
7      12    -15.44
8      15     17.30
9      17     -8.74
10      18      9.15
11      20    -62.30
【０１１５】
［数値実施例３−撮影状態Ａ］
単位 mm
面データ
面番号       r        d      nd        νd       有効径
1        114.879    2.00   1.48749    70.2       79.55
2         34.506    7.29                         54.23
3         54.834    1.50   1.49700    81.5       51.92
4         21.265    8.50                         37.55
5         39.283    1.50   1.43875    94.7       35.07
6         13.944   15.00                         25.82
7        -24.986    1.50   1.48563    85.2       23.11
8         27.942    3.00                         22.45
9*        37.550   10.91   1.62041    60.1       23.07
10        -26.486   14.99                         23.15
11(絞り)    ∞       0.50                         11.37
12*        14.081    3.04   1.43387    95.1       10.39
13        -30.032    3.69                         10.80
14        -36.836    1.60   1.65052    38.0       11.79
15         15.155    3.34   1.43387    95.1       12.80
16        -40.659    0.55                         13.48
17         21.580    1.71   1.43387    95.1       14.88
18*        86.901   19.73                         15.03
像面        ∞
非球面データ
第9面
K =-2.03187e+000  A 4=-1.37421e-005  A 6= 1.02383e-008  A 8=-1.25940e-010  A10= 4.70814e-013
第12面
K = 0.00000e+000  A 4=-2.13073e-005  A 6=-2.12495e-008  A 8=-5.25189e-009  A10= 5.95010e-011
第18面
K = 0.00000e+000  A 4= 8.34222e-005  A 6= 2.83775e-007  A 8=-1.35138e-009  A10= 2.23130e-011
各種データ
焦点距離       8.75
Fナンバー      2.87
半画角(°)     90.00
像高          12.61
レンズ全長   100.35
BF            19.73
入射瞳位置    24.69
射出瞳位置   -12.65
前側主点位置  31.08
後側主点位置  10.98
単レンズデータ
レンズ  始面  焦点距離
1       1   -102.00
2       3    -70.94
3       5    -50.18
4       7    -26.91
5       9     26.78
6      12     22.57
7      14    -16.31
8      15     25.91
9      17     65.65
【０１１６】
［数値実施例３−撮影状態Ｂ］
単位 mm
面データ
面番号       r        d      nd        νd       有効径
1        114.879    2.00   1.48749    70.2       79.55
2         34.506    7.29                         54.23
3         54.834    1.50   1.49700    81.5       51.92
4         21.265    8.50                         37.55
5         39.283    1.50   1.43875    94.7       35.07
6         13.944   13.00                         25.82
7        -30.933    1.50   1.52542    64.5       23.33
8         28.892    3.00                         21.32
9*        37.550   10.91   1.62041    60.1       23.07
10        -26.486   15.40                         23.15
11(絞り)    ∞       1.62                          5.24
12*         7.353    2.10   1.60310    65.4        5.29
13        -31.061    1.73                          4.88
14         -9.369    1.50   1.62606    39.0        4.37
15          4.835    2.26   1.59950    65.6        6.09
16        -11.190    3.29                          6.55
17         -6.041    1.20   1.55352    71.7        8.09
18*        -7.880    5.24                         10.03
像面        ∞
非球面データ
第9面
K =-2.03187e+000  A 4=-1.37421e-005  A 6= 1.02383e-008  A 8=-1.25940e-010  A10= 4.70814e-013
第12面
K = 0.00000e+000  A 4=-1.40836e-004  A 6= 4.52225e-005  A 8=-6.98368e-006  A10= 3.76599e-007
第18面
K = 0.00000e+000  A 4= 8.43855e-004  A 6= 2.66307e-005  A 8=-2.18369e-007  A10= 4.15297e-009
各種データ
焦点距離       4.77
Fナンバー      2.88
半画角(°)    90.00
像高           9.00
レンズ全長    83.55
BF             5.24
入射瞳位置    24.58
射出瞳位置   -12.07
前側主点位置  28.04
後側主点位置   0.47
単レンズデータ
レンズ  始面  焦点距離
1       1   -102.00
2       3    -70.94
3       5    -50.18
4       7    -28.19
5       9     26.78
6      12     10.07
7      14     -4.90
8      15      5.95
9      17    -60.91
【０１１７】
［数値実施例４−撮影状態Ａ］
単位 mm
面データ
面番号       r        d      nd        νd       有効径
1        109.301    2.00   1.48749    70.2       63.58
2         36.791    7.29                         47.28
3        108.568    1.50   1.49700    81.5       43.86
4         17.730    8.50                         30.05
5         63.008    1.50   1.43875    94.7       27.72
6         12.779   15.00                         21.59
7        -22.911    1.50   1.43387    95.1       18.79
8         24.470    3.00                         18.84
9*        24.543   10.08   1.64048    59.8       19.96
10        -27.380   10.10                         19.88
11         40.455    2.59   1.43875    94.7       10.99
12        -14.991    1.60   1.60562    43.7       10.29
13        -80.186    2.23                          9.35
14(絞り)    ∞       0.67                          8.44
15*        12.263    4.44   1.43387    95.1        8.36
16        -26.780    2.16                          8.25
17        -23.700    1.60   1.61484    51.1        8.75
18          9.336    3.08   1.43387    95.1        9.64
19        -41.132    0.10                         10.31
20         15.657    1.42   1.43387    95.1       11.16
21*        33.095   14.64                         11.30
像面        ∞
非球面データ
第9面
K =-2.03187e+000  A 4=-8.26890e-007  A 6=-1.02977e-008  A 8= 1.63980e-010  A10=-4.48023e-013
第15面
K = 0.00000e+000  A 4= 3.63040e-006  A 6=-7.80635e-007  A 8= 3.68474e-008  A10=-7.69312e-010
第21面
K = 0.00000e+000  A 4= 1.40088e-004  A 6=-1.82098e-008  A 8= 7.57184e-009  A10=-8.99826e-011
各種データ
焦点距離       7.10
Fナンバー      2.93
半画角(°)     75.00
像高           8.47
レンズ全長    95.00
BF            14.64
入射瞳位置    22.48
射出瞳位置   -10.55
前側主点位置  27.58
後側主点位置   7.54
単レンズデータ
レンズ  始面  焦点距離
1       1   -114.80
2       3    -42.87
3       5    -36.87
4       7    -27.01
5       9     21.86
6      11     25.29
7      12    -30.73
8      15     20.08
9      17    -10.70
10      18     17.87
11      20     66.84
【０１１８】
［数値実施例４−撮影状態Ｂ］
単位 mm
面データ
面番号       r        d      nd        νd       有効径
1        109.301    2.00   1.48749    70.2       63.58
2         36.791    7.29                         47.28
3        108.568    1.50   1.49700    81.5       43.86
4         17.730    8.50                         30.05
5         63.008    1.50   1.43875    94.7       27.72
6         12.779   15.00                         21.59
7        -22.911    1.50   1.43387    95.1       18.79
8         24.470    3.00                         18.84
9*       -98.761    4.91   1.64048    59.8       18.13
10*       -14.021   10.46                         18.11
11         40.455    2.59   1.43875    94.7       10.99
12        -14.991    1.60   1.60562    43.7       10.29
13        -80.186    1.86                          9.35
14(絞り)    ∞       7.93                          8.44
15*        14.478    2.58   1.49700    81.5        8.36
16*       -17.642    1.59                          8.25
17        -23.700    1.60   1.61484    51.1        8.75
18          9.336    3.08   1.43387    95.1        9.64
19        -41.132    0.10                         10.31
20         15.657    1.42   1.43387    95.1       11.16
21*        33.095   15.00                         11.30
像面        ∞
非球面データ
第9面
K =-2.03187e+000  A 4= 6.70208e-005  A 6= 5.78268e-007  A 8=-9.06632e-009  A10= 1.20799e-010
第10面
K = 0.00000e+000  A 4= 1.64670e-005  A 6= 2.42488e-006  A 8=-3.78056e-008  A10= 2.88909e-010
第15面
K = 0.00000e+000  A 4= 2.60574e-004  A 6=-4.44994e-006  A 8= 7.86510e-007  A10= 1.66317e-009
第16面
K = 0.00000e+000  A 4= 4.65162e-004  A 6=-1.82208e-005  A 8= 1.39390e-006
第21面
K = 0.00000e+000  A 4= 1.40088e-004  A 6=-1.82098e-008  A 8= 7.57184e-009  A10=-8.99826e-011
各種データ
焦点距離       5.98
Fナンバー      2.68
半画角(°)     75.00
像高          8.25
レンズ全長    95.00
BF            15.00
入射瞳位置    22.08
射出瞳位置   -21.26
前側主点位置  27.08
後側主点位置   9.02
単レンズデータ
レンズ  始面  焦点距離
1       1   -114.80
2       3    -42.87
3       5    -36.87
4       7    -27.01
5       9     24.95
6      11     25.29
7      12    -30.73
8      15     16.44
9      17    -10.70
10      18     17.87
11      20     66.84
【０１１９】
以下の表に各実施例における種々の値を示す。
【０１２０】
【表１】
2019174753.tif 000003
【０１２１】
［撮像装置］
次に本発明の撮像装置の実施例について述べる。図９は、本実施例の撮像装置（デジタルスチルカメラ）１０の概略図である。撮像装置１０は、カメラ本体１３と、上述した実施例１乃至３のいずれかと同様であるレンズ装置１１と、レンズ装置の光学系によって形成される像を光電変換する受光素子（撮像素子）１２を備える。レンズ装置１１とカメラ本体１３は一体に構成されていても良いし、着脱可能に構成されていても良い。
【０１２２】
本実施例の撮像装置１０は、レンズ装置１１を有することによって、レンズ構成の変化に伴う収差の変化が低減された高品位な画像を得ることができる。
【０１２３】
なお、受光素子１２としては、ＣＣＤやＣＭＯＳセンサ等の撮像素子を用いることができる。
【０１２４】
なお、上述した各実施例のレンズ装置は、図９に示したデジタルスチルカメラに限らず、放送用カメラ、銀塩フィルム用カメラ、監視用カメラ等の種々の撮像装置に適用することができる。
【０１２５】
以上、本発明の好ましい実施形態及び実施例について説明したが、本発明はこれらの実施形態及び実施例に限定されず、その要旨の範囲内で種々の組合せ、変形及び変更が可能である。
【符号の説明】
【０１２６】
Ｌ０  光学系
Ｌ１  前レンズ群
Ｌ２  後レンズ群
ＳＰ  開口絞り
【図１】
2019174753.tif 000004
【図２】
2019174753.tif 000005
【図３】
2019174753.tif 000006
【図４】
2019174753.tif 000007
【図５】
2019174753.tif 000008
【図６】
2019174753.tif 000009
【図７】
2019174753.tif 000010
【図８】
2019174753.tif 000011
【図９】
2019174753.tif 000012